(57)【要約】  本発明の目的とするところは、被制御デバイスを一括制御するためのホームネットワークシステム及びその制御方法を提供することにある。  ホームネットワークシステムが開示される。本ホームネットワークシステムは、複数の被制御デバイスを制御するためのコマンドセットを伝送する入力デバイスと、入力デバイスから受信されたコマンドセットに基づいて、複数の被制御デバイスのうち、少なくとも二つの被制御デバイスを順次に一括制御する制御デバイスとを含む。
2013502819.tif 000002
【特許請求の範囲】
【請求項１】
複数の被制御デバイスを制御するためのコマンドセットを伝送する入力デバイスと、
前記入力デバイスから受信されたコマンドセットに基づいて、前記複数の被制御デバイスのうち、少なくとも二つの被制御デバイスを順次に一括制御する制御デバイスと
を含むホームネットワークシステム。
【請求項２】
前記コマンドセットは、前記少なくとも二つの被制御デバイスを制御するための複数の制御命令が、前記制御デバイスで順次に生成されるようにするための一つの制御命令であることを特徴とする請求項１に記載のホームネットワークシステム。
【請求項３】
前記コマンドセットと前記複数の制御命令とは、前記制御デバイスに相互マッチングングして保存され、前記複数の制御命令の種類と、順番及び被制御対象のうち、少なくとも一つはユーザの操作によって変更可能であることを特徴とする請求項２に記載のホームネットワークシステム。
【請求項４】
前記制御デバイスは、前記複数の被制御デバイスと通信し、前記複数の被制御デバイスに対する情報及び前記複数の被制御デバイスを制御するための制御命令に対する情報を抽出して保存することを特徴とする請求項２に記載のホームネットワークシステム。
【請求項５】
前記複数の被制御デバイスに対する情報は、前記複数の被制御デバイスの種類と、名称及び製造者のうち、少なくとも一つに対する情報を含むことを特徴とする請求項４に記載のホームネットワークシステム。
【請求項６】
前記制御デバイスは、前記複数の制御命令を前記少なくとも二つの被制御デバイスに順次に伝送し、前記少なくとも二つの被制御デバイスを一括制御することを特徴とする請求項２に記載のホームネットワークシステム。
【請求項７】
前記コマンドセットは、前記制御デバイスから生成され、
前記入力デバイスは、前記制御デバイスから生成されて伝達された少なくとも一つのコマンドセットに対するリストから一つのコマンドセットを選択し、前記制御デバイスに伝送することを特徴とする請求項１に記載のホームネットワークシステム。
【請求項８】
前記入力デバイスは、前記被制御デバイスとしても使われたり、前記複数の被制御デバイスのうちの一つは前記入力デバイスとしても使われることを特徴とする請求項１に記載のホームネットワークシステム。
【請求項９】
前記複数の被制御デバイスのうちの一つは、前記制御デバイスとしても使われることを特徴とする請求項１に記載のホームネットワークシステム。
【請求項１０】
被制御デバイスを順次に一括制御するためのコマンドセットを伝送するステップと、
前記コマンドセットに基づいて、前記被制御デバイスに対する制御命令を順次に伝送するステップと
を含むホームネットワークシステムの制御方法。
【発明の詳細な説明】
【技術分野】
【０００１】
本発明は、ホームネットワークシステム及びその制御方法に関し、より詳細には、被制御デバイスを一括制御するためのホームネットワークシステム及びその制御方法に関する。
【背景技術】
【０００２】
一般に、ホームネットワークシステムは、ホーム（Ｈｏｍｅ）に設定されるホームネットワーク（Ｈｏｍｅ  Ｎｅｔｗｏｒｋ）と外部通信ネットワーク間のネットワーク整合を行うことにより、知能化されたコミュニケーションができるようにするネットワークシステムを意味し、このようなネットワーク化を通じて家庭内の情報資源の共有と個別の製品の効用を極大化させる。
【０００３】
ホームネットワークを構成するホームデバイスには、パーソナルコンピュータや、ファクス、スキャナ、プリンタなどのような情報系デバイスや、テレビやセットトップボックス、ＤＶＤ、ＶＣＲ、オーディオ、カムコーダ、家庭用のゲーム機などのようなＡ／Ｖデバイスや、コーヒーメーカや、炊飯器、冷蔵庫、洗濯機、電子レンジ、カメラなどのような制御系デバイス、及びリモコンやインターフォン、センサ、ライトなどのようなダミーデバイスなどがある。
【０００４】
更に、最近は、ユーザが携帯して使用可能なポータブルデバイスをホームネットワークシステムに組み込ませて、ホームネットワークシステムを用いてホームデバイスだけでなくポータブルデバイスの制御も可能としている。
【０００５】
このようなホームデバイスとポータブルデバイスとは、それぞれのカテゴリに応じて電話線や、無線ＬＡＮ（Ｗｉｒｅｌｅｓｓ  ＬＡＮ）や、ブルートゥース（Ｂｌｕｅｔｏｏｔｈ（登録商標））、ＵＳＢ(Ｕｎｉｖｅｒｓａｌ  Ｓｅｒｉａｌ  Ｂｕｓ)、ＩＥＥＥ  １３９４、又は電力線などのようなサーブ網に接続される。
【０００６】
一方、従来のホームネットワークシステムでは、それぞれのホームデバイスとポータブルデバイスに対する制御が可能であるが、ユーザの所望の状態や条件を満たすためには、それぞれのホームデバイス又はポータブルデバイスが一々制御されるように操作しなければならないという問題がある。
【発明の概要】
【発明が解決しようとする課題】
【０００７】
そこで、本発明は、上記問題に鑑みてなされたものであり、本発明の目的とするところは、被制御デバイスを一括制御するためのホームネットワークシステム及びその制御方法を提供することにある。
【課題を解決するための手段】
【０００８】
前記目的を達成するための本発明の一実施形態に係るホームネットワークシステムは、複数の被制御デバイスを制御するためのコマンドセットを伝送する入力デバイスと、前記入力デバイスから受信されたコマンドセットに基づいて、前記複数の被制御デバイスのうち、少なくとも二つの被制御デバイスを順次に一括制御する制御デバイスとを含む。
【０００９】
ここで、前記コマンドセットは、前記少なくとも二つの被制御デバイスを制御するための複数の制御命令が、前記制御デバイスで順次に生成されるようにするための一つの制御命令であってよい。
【００１０】
そして、前記コマンドセットと前記複数の制御命令とは、前記制御デバイスに相互マッチングングして保存され、前記複数の制御命令の種類と、順番及び被制御対象のうち、少なくとも一つはユーザの操作によって変更可能であってよい。
【００１１】
なお、前記制御デバイスは、前記複数の被制御デバイスと通信し、前記複数の被制御デバイスに対する情報及び前記複数の被制御デバイスを制御するための制御命令に対する情報を抽出して保存してよい。
【００１２】
そして、前記複数の被制御デバイスに対する情報は、前記複数の被制御デバイスの種類と、名称及び製造者のうち、少なくとも一つに対する情報を含んでよい。
【００１３】
なお、前記制御デバイスは、前記複数の制御命令を前記少なくとも二つの被制御デバイスに順次に伝送し、前記少なくとも二つの被制御デバイスを一括制御してよい。
【００１４】
そして、前記コマンドセットは、前記制御デバイスから生成され、前記入力デバイスは、前記制御デバイスから生成されて伝達された少なくとも一つのコマンドセットに対するリストから一つのコマンドセットを選択し、前記制御デバイスに伝送してよい。
【００１５】
なお、前記入力デバイスは、前記被制御デバイスとしても使われたり、前記複数の被制御デバイスのうちの一つは前記入力デバイスとしても使われてよい。
【００１６】
そして、前記複数の被制御デバイスのうちの一つは、前記制御デバイスとしても使われてよい。
【００１７】
一方、前記目的を達成するための本発明の一実施形態に係るホームネットワークシステムの制御方法は、被制御デバイスを順次に一括制御するためのコマンドセットを伝送するステップと、前記コマンドセットに基づいて、前記被制御デバイスに対する制御命令を順次に伝送するステップとを含む。
【発明の効果】
【００１８】
上述のように、本発明の多様な実施形態によると、デバイス間の送受信を通じて別のデバイスを統制／制御し、ユーザの所望の状態や条件が遠隔で行われることができるようにし、一連の制御命令を一々入力することなく、一回の操作のみでユーザの所望の状態や条件をより容易かつ便利に最適化させつことができるようになる。
【図面の簡単な説明】
【００１９】
【図１】本発明の一実施形態に係るホームネットワークシステムを示す図である。
【図２】本発明の別の実施形態に係るホームネットワークシステムを示す図である。
【図３】別のデバイスの状態を考慮したマクロコントロール方法を説明するための図である。
【図４】外部環境を考慮したマクロコントロール方法を説明するための図である。
【図５Ａ】コマンドセットと制御命令との方法を説明するための図である。
【図５Ｂ】コマンドセットと制御命令との連動方法を説明するための図である。
【図５Ｃ】コマンドセットと制御命令との連動方法を説明するための図である。
【図５Ｄ】コマンドセットと制御命令との連動方法を説明するための図である。
【図５Ｅ】コマンドセットと制御命令との連動方法を説明するための図である。
【図６】本発明の一実施形態に係るホームネットワークシステムの制御方法を説明するためのフローチャートである。
【図７】制御デバイスに対するブロック図である。
【図８】入力デバイス及び被制御デバイスに対するブロック図である。
【発明を実施するための形態】
【００２０】
以下に添付図面を参照しながら、本発明の好適な実施形態について詳細に説明する。特に、図１ないし図４を参照しながら、マクロコントロールのためのホームネットワークシステムについて説明し、図５Ａないし図５Ｅを参照しながら、コマンドセットと制御命令との連動方法について説明する。なお、図６ないし図８を参照しながら、コマンドセットに基づいて制御命令を生成するためのプロセスと構成について説明する。
【００２１】
＜サーバを用いたマクロコントロール＞
図１は、本発明の一実施形態に係るホームネットワークシステムを示す図である。本実施形態に係るホームネットワークシステムは、デバイスと中央のホームサーバとの送受信を通じて別のデバイスを統制／制御する。
【００２２】
このようなホームネットワークシステムは、ホームサーバ１１０と、ホームデバイス１２０、１３０、１４０及びポータブルデバイス１５０、１６０、１７０で構成される。
【００２３】
ホームサーバ１１０は、ホームネットワークシステム内のデバイスの動作全般を制御する。特に、ホームサーバ１１０はホームデバイス１２０、１３０、１４０及びポータブルデバイス１５０、１６０、１７０のうちの一つから遠隔で受信されたコマンドセットに基づいて、ホームデバイス１２０、１３０、１４０及びポータブルデバイス１５０、１６０、１７０のうち、少なくとも一つのデバイスをコントロールするための制御命令を生成し、各デバイスに伝達する。
【００２４】
なお、ホームサーバ１１０は、受信されたコマンドセットに基づいて少なくとも一つのデバイスを制御するために、ホームネットワークシステム内のデバイスに対する情報を収集して保存する。具体的に、ホームサーバ１１０は、ホームネットワークシステム内のデバイスとの無線通信を通じて各デバイスの種類や、名称や、製造者などに対する情報を収集したり、ユーザによって、ホームネットワークシステム内のデバイスに対する情報が直接入力され、このような情報を保存するようになる。
【００２５】
そして、ホームサーバ１１０は、受信されたコマンドセットに基づいて少なくとも一つのデバイスを制御するための制御命令を生成するために、それぞれのコマンドセットに対する情報を保存し、それぞれのコマンドセットに対応する制御命令に対する情報を保存する。
【００２６】
一方、コマンドセットとは、少なくとも一つのデバイスによって特定状況になったり、少なくとも少なくとも一つのデバイスによって特定条件が満たされるように、少なくとも一つの制御命令を含む制御命令群が生成されるようにするための命令を意味する。
【００２７】
例えば、図１に示すように、外部のモバイルフォン１７０を介して遠隔で、ＤＶＤ視聴のためのコマンドセットがホームサーバ１１０に入力された場合、ホームサーバ１１０はモバイルフォン１７０から受信されたコマンドセットであるＤＶＤ視聴命令に応じて、ＤＶＤプレーヤ１３０にＤＶＤプレーヤ１３０がターンオンされるようにするための制御命令を伝送する。
【００２８】
なお、ホームサーバ１１０は、モバイルフォン１７０から受信されたコマンドセットであるＤＶＤ視聴命令に応じて、ＤＶＤプレーヤ１３０に再生される画面がテレビ１４０に表示されるようにするために、テレビ１４０がターンオンされるようにするための制御命令を伝送する。
【００２９】
一方、ホームデバイス１２０、１３０、１４０は、主に自宅内に固定された位置で使われるデバイスのことを意味し、本実施形態においては例示的にモニタ１２０と、ＤＶＤプレーヤ１３０及びテレビ１４０を示している。
【００３０】
ポータブルデバイス１５０、１６０、１７０は、主に自宅外でユーザが携帯して使うデバイスのことを意味し、本実施形態においては例示的にモバイルフォン１５０、１７０と、デジタルカメラ１６０を示している。
【００３１】
図１において、各デバイスを連結したバウンダリー１８０は、自宅内に存在するデバイスであることを表示するために使われている。従って、自宅内にはホームサーバ１１０と、モニタ１２０と、ＤＶＤプレーヤ１３０と、テレビ１４０と、モバイルフォン１５０及びデジタルカメラ１６０が存在し、自宅外にはモバイルフォン１７０が存在するということが分かる。
【００３２】
図１に示すように、自宅外でモバイルフォン１７０を介して、ＤＶＤ視聴のためのコマンドセットをホームサーバ１１０に伝送する場合、ホームサーバ１１０は受信されたＤＶＤ視聴コマンドセットに基づいて、ＤＶＤプレーヤ１３０とテレビ１４０とを制御するための制御命令を伝送する。
【００３３】
このように、ホームネットワークシステムにおいては、自宅外のデバイスと中央のホームサーバ１１０との間の送受信及び中央のホームサーバ１１０と自宅内のデバイスの送受信を通じて、ユーザの所望の状況及び条件が遠隔で行われるようにする。
【００３４】
＜デバイスを用いたマクロコントロール＞
図２は、本発明の別の実施形態に係るホームネットワークシステムを示す図である。本実施形態に係るホームネットワークシステムは、デバイス間の送受信を通じて別のデバイスを統制／制御する。
【００３５】
このようなホームネットワークシステムは、ホームデバイス１２０、１３０、１４０及びポータブルデバイス１５０、１６０、１７０で構成される。
【００３６】
ホームデバイス１２０、１３０、１４０は、主に自宅内に固定された位置で使われるデバイスのことを意味し、本実施形態においては例示的にモニタ１２０と、ＤＶＤプレーヤ１３０及びテレビ１４０を示している。
【００３７】
ポータブルデバイス１５０、１６０、１７０は、主に自宅外でユーザが携帯して使うデバイスのことを意味し、本実施形態においては例示的にモバイルフォン１５０、１７０と、デジタルカメラ１６０を示している。
【００３８】
図２において、各デバイスを連結したバウンダリー１８０は、自宅内に存在するデバイスであることを表示するために使われている。従って、自宅内にはモニタ１２０と、ＤＶＤプレーヤ１３０と、テレビ１４０と、モバイルフォン１５０及びデジタルカメラ１６０が存在し、自宅外にはモバイルフォン１７０が存在するということが分かる。
【００３９】
一方、自宅内に存在するデバイスのうちの一つは、ホームネットワークシステム全般に対する制御、即ち、中央制御のための用途として使われる。本実施形態においては、テレビ１４０がホームネットワークシステム全般を制御するための用途として使われている。
【００４０】
中央制御のための用途に使われるテレビ１４０は、ホームネットワークシステム内のデバイスの動作全般を制御する。特に、テレビ１４０はホームデバイス１２０、１３０及びポータブルデバイス１５０、１６０、１７０のうちの一つから遠隔で受信されたコマンドセットに基づいて、ホームデバイス１２０、１３０及びポータブルデバイス１５０、１６０、１７０のうち、少なくとも一つのデバイスをコントロールするための制御命令を生成し、各デバイスに伝達する。
【００４１】
なお、テレビ１４０は、受信されたコマンドセットに基づいて少なくとも一つのデバイスを制御するために、ホームネットワークシステム内のデバイスに対する情報を収集して保存する。具体的に、テレビ１４０は、ホームネットワークシステム内のデバイスとの無線通信を通じて各デバイスの種類や、名称や、製造者などに対する情報を収集したり、ユーザによって、ホームネットワークシステム内のデバイスに対する情報が直接入力され、このような情報を保存するようになる。
【００４２】
そして、テレビ１４０は、受信されたコマンドセットに基づいて少なくとも一つのデバイスを制御するための制御命令を生成するために、それぞれのコマンドセットに対する情報を保存し、それぞれのコマンドセットに対応する制御命令に対する情報を保存する。
【００４３】
なお、図１に示すように、外部のモバイルフォン１７０を介して遠隔で、ＤＶＤ視聴のためのコマンドセットがテレビ１４０に入力された場合、テレビ１４０はモバイルフォン１７０から受信されたコマンドセットであるＤＶＤ視聴命令に応じて、ＤＶＤプレーヤ１３０にＤＶＤプレーヤ１３０がターンオンされるようにするための制御命令を伝送する。
【００４４】
そして、テレビ１４０は、モバイルフォン１７０から受信されたコマンドセットであるＤＶＤ視聴命令に応じて、ＤＶＤプレーヤ１３０で再生される画面がテレビ１４０に表示されるようにするために、自分をターンオンさせる。
【００４５】
このように、ホームネットワークシステムにおいては、デバイス間の送受信を通じて別のデバイスを統制／制御し、ユーザの所望の状況及び条件が遠隔で行われるようにする。
【００４６】
以上では、自宅外に存在するデバイスであるモバイルフォン１７０を用いて自宅内のデバイスを一括制御するものとして想定したが、自宅内のデバイスを用いて自宅内又は自宅外のデバイスを一括制御するように実現する場合にも、本発明の技術的な思想がそのまま適用されてよい。ただ、自宅内のデバイスを用いて自宅外のデバイスを制御するためには、ホームサーバ１１０又は中央制御デバイスが遠距離制御のための通信手段を備えるべきである。
【００４７】
そして、以上では、ＤＶＤ視聴ために、ＤＶＤプレーヤ１３０とテレビ１４０とを制御すると説明したが、ＤＶＤ視聴という状況（条件）は説明の便宜上のための例示的なものに過ぎない。従って、音楽鑑賞やゲーム実行などの状況（条件）の場合にも、本発明の技術的な思想がそのまま適用可能である。
【００４８】
例えば、ホームネットワークシステムを用いて音楽鑑賞のための状況（条件）を作り上げるため、ユーザが音楽鑑賞のためのコマンドセットをホームサーバ１１０に入力した場合、ホームサーバ１１０はユーザのコマンドセットを受信し、ＭＰ３Ｐ（図示せず）の電源オン制御や、音量制御、選局制御及びＤＶＤプレーヤ１３０の電源オフ制御などを順次かつ一括で行うことができる。
【００４９】
これは、以下の説明でも同様に適用される。
【００５０】
＜別のデバイスの状態を考慮したマクロコントロール＞
一方、以上では、ＤＶＤ視聴のためにＤＶＤ視聴に必要なデバイスを制御するものとして想定してきたが、それも説明の便宜上のための例示的なものに過ぎない。従って、ＤＶＤ視聴に必要なデバイスの制御だけでなく、ＤＶＤ視聴に必要でないデバイスの制御が同時に行われるものとして実現できてよい。それに対する説明のために、図３を参照しながら以下で説明する。
【００５１】
図３は、別のデバイスの状態を考慮したマクロコントロール方法を説明するための図である。図３において説明の便宜性のために、ホームサーバを備えたホームネットワークシステムを基準に説明する。しかし、ホームサーバを備えていないホームネットワークシステムにも以下の説明が同様に適用されてよい。
【００５２】
モバイルフォン１７０からＤＶＤ視聴のためのコマンドセットが受信されると、ホームサーバ１１０は、受信されたコマンドセットに基づいて自宅内のデバイスを制御するための制御命令を生成する。
【００５３】
まず、ホームサーバ１１０は上述のように、ＤＶＤプレーヤ１３０とテレビ１４０とを制御するための制御命令を生成し、ＤＶＤプレーヤ１３０とテレビ１４０とにそれぞれ伝送する。それにより、ＤＶＤプレーヤ１３０とテレビ１４０とは、それぞれ受信された制御命令に応じて動作する。
【００５４】
例えば、ＤＶＤプレーヤ１３０に伝送された制御命令が「３分後にターンオン及び再生」という制御命令である場合、ＤＶＤプレーヤ１３０は受信された制御命令に従って、制御命令が受信された時点から３分後にターンオン及び再生するようになる。なお、テレビ１４０に伝送された制御命令が「ターンオン、鮮明な画質、音量１６、字幕ＯＮ」である場合、テレビ１４０は受信された制御命令に従って、自分をターンオンさせ、「鮮明な画質、音量１６、字幕ＯＮ」に合うように、各テレビ１４０の設定値をセットする。
【００５５】
なお、ホームサーバ１１０は、ＤＶＤプレーヤ１３０とテレビ１４０以外の自宅内のデバイスに対する状態を点検し、各デバイスの状態に応じた制御命令を生成してＤＶＤ視聴と関連のないデバイスに伝送することができる。
【００５６】
即ち、ユーザがＤＶＤ視聴をする場合、ユーザはモニタ１２０及びデジタルカメラ１６０を使用しないのが一般的である。従って、ユーザはＤＶＤ視聴の際に、モニタ１２０及びデジタルカメラ１６０の電源をＯＦＦすることを要求してよい。
【００５７】
従って、ホームサーバ１１０は、ＤＶＤ視聴に必要なデバイスであるＤＶＤプレーヤ１３０とテレビ１４０だけでなく、ＤＶＤ視聴に必要でないデバイスであるモニタ１２０とデジタルカメラ１６０に対する制御命令までも生成して各デバイスに制御命令を伝送することができる。
【００５８】
それにより、ユーザの所望の状況又は条件をより最適化させることができるようになる。
【００５９】
＜環境を考慮したマクロコントロール＞
以上で説明したように、ユーザの所望の状況や条件を満たすために入力されたユーザのコマンドセットに対応する制御命令をホームサーバ１１０に予め保存されるようになり、ホームサーバ１１０はユーザのコマンドセットに対応する制御命令を生成して各デバイスに伝達するようになる。
【００６０】
しかし、ホームサーバ１１０は、如何なる場合であっても、ユーザのコマンドセットに対応する制御命令を画一的に生成することなく、外部環境に応じて異なる制御命令が生成させるようにできる。それに関し、以下で詳細に説明する。
【００６１】
図４は、外部環境を考慮したマクロコントロール方法を説明するための図である。図４においては、説明の便宜性のために、ホームサーバを備えたホームネットワークシステムを基準に説明する。しかし、ホームサーバを備えていないホームネットワークシステムにも以下の説明が同様に適用されてよい。
【００６２】
一方、本実施形態に係るホームネットワークシステム４００は、ホームサーバ１１０及びホームデバイス４１０、４２０、４３０で構成される。なお、ホームデバイスは、湿度調節のための加湿器４１０と、自然光遮断のためのカーテン４２０及び温度調節のためのエアコン４３０で構成されている。
【００６３】
上述のように、自宅外のモバイルフォン１７０を介してＤＶＤ視聴のためのユーザの命令、即ち、コマンドセットがホームサーバ１１０に入力されると、ホームサーバ１１０は入力されたコマンドセットに基づいて、ＤＶＤプレーヤ１３０の動作及びテレビ１４０の動作を制御する。
【００６４】
なお、ホームサーバ１１０は、ユーザのコマンドセットに対応する制御命令以外の制御命令を任意に生成することができる。即ち、図４に示すように、ユーザからＤＶＤ視聴に対するコマンドセットがホームサーバ１１０に入力された場合、ホームサーバ１１０はＤＶＤ視聴と直接に関連のない加湿器４１０と、カーテン４２０及びエアコン４３０についても、制御命令を生成してよい。
【００６５】
加湿器４１０とエアコン４３０に対する制御命令は、現在の温度と湿度、そしてＤＶＤ視聴のためのユーザの命令が自宅内のデバイスから入力されたか、自宅外のデバイスから入力されたか否かに基づいて生成されてよい。
【００６６】
例えば、自宅内のデバイスからＤＶＤ視聴のためのユーザの命令が入力された場合、ユーザは自宅内にいると見なすはずであるため、現在自宅内の温度及び湿度に満足していると見なしてよい。従って、自宅内のデバイスからＤＶＤ視聴のためのユーザの命令が入力された場合、加湿器４１０とエアコン４３０がオンであるかオフであるかによらず、ホームサーバ１１０は加湿器４１０とエアコン４３０に対する別途の制御命令を生成しなくてよい。
【００６７】
しかし、自宅外のデバイスからＤＶＤ視聴のためのユーザの命令が入力された場合、ユーザは自宅外にいると見なすはずであるため、ユーザが現在自宅内の温度及び湿度に満足している否かを確認することができない。従って、自宅外のデバイスからＤＶＤ視聴のためのユーザの命令が入力された場合、ユーザが自宅内で直にＤＶＤ視聴をするはずであるため、ホームサーバ１１０はＤＶＤ視聴のための最適の温度及び湿度になるようにするため、加湿器４１０とエアコン４３０に対する別途の制御命令を生成するようになる。
【００６８】
一方、カーテン４２０に対する制御命令は、現在の時間又は自宅内に差し込む自然光の具合などの天気に基づいて生成されてよい。
【００６９】
例えば、ユーザからＤＶＤ視聴のための命令が入力された時点が午前であるか、自然光の自宅内に差し込む光量が多い時点であれば、眩しさなどの理由でユーザのＤＶＤ視聴を妨げるおそれがある。従って、ホームサーバ１１０はＤＶＤ視聴が円滑になるように、カーテン４２０を閉めるための制御命令をカーテン４２０に伝送する。
【００７０】
なお、ユーザからＤＶＤ視聴のための命令が入力された時点が夜であるか、自然光の自宅内に差し込む光量が少ない時点であれば、眩しさなどの理由でユーザのＤＶＤ視聴を妨げるおそれがない。従って、ホームサーバ１１０は現在の状態を維持するために、カーテン４２０に別途の制御命令を伝送しなくてよい。
【００７１】
それにより、ユーザの所望の状況又は条件をより最適化させることができるようになる。
【００７２】
＜コマンドセットと制御命令との連動方法＞
一方、以上では、ホームサーバがコマンドセットとコマンドセットに対応する制御命令を保存すると述べている。以下では、ホームサーバがコマンドセットと制御命令を対応させて保存する過程について、図５Ａないし図５Ｅを参照しながら説明し、但し、ホームネットワークシステムについては図１におけるホームネットワークシステムを基準に説明する。
【００７３】
図５Ａないし図５Ｅは、コマンドセットと制御命令との連動方法を説明するための図である。
【００７４】
上述のように、ホームサーバ１１０は、ホームネットワークシステム内に存在するホームデバイス又はポータブルデバイスに対する情報を自動で収集して保存したり、ユーザによって、ホームネットワークシステム内のデバイスに対する情報が直接入力され、このような情報を保存するようになる。
【００７５】
ユーザからホームネットワークシステム内のデバイスに対する情報が直接入力された場合や、自動で収集して保存された情報を変更する場合のために、ホームサーバ１１０は自主的に入力手段と表示手段とを備えてよいが、図５Ａに示すように、モバイルフォン１５０を入力手段として使用し、モニタ１２０を表示手段として使用してよい。
【００７６】
図５Ａのように、モバイルフォン１５０を入力手段として使用する場合、ホームサーバ１１０はモバイルフォン１５０から入力された信号に基づいてホームネットワークシステム内のデバイスに対する情報が入力されるようにしたり、ホームネットワークシステム内のデバイスに対して自動で収集された情報が変更されて入力されるようにする。
【００７７】
なお、モニタ１２０を表示手段として使用する場合、ホームサーバ１１０はホームネットワークシステム内のデバイスに対する情報が入力された事項、又はホームネットワークシステム内のデバイスに対して自動で収集された情報が変更されて入力された事項に対し、モニタ１２０に表示される画面を見ながら確認できるようになる。
【００７８】
このように、ホームサーバ１１０は、入力手段及び表示手段を用いて、情報の入力又は入力された情報の修正ができるようになる。
【００７９】
更に、ホームサーバ１１０は、入力手段及び表示手段を用いて、コマンドセットと制御命令を対応させることができる。図５Ｂの画面は、ホームネットワークシステムにおけるコマンドセットと制御命令のマッチングのために、表示手段に表示される画面である。図５Ｂに示すように、画面の左側にはホームネットワークシステムを構成するデバイスがアイテム化されて表示され、画面の右側にはコマンドセットがアイテム化されて表示される。
【００８０】
ユーザが入力手段を通じてテレビアイテムを選択した場合、表示手段の画面には図５Ｃのように、テレビ１４０を制御するための制御命令アイテムが表示される。なお、ユーザが制御命令アイテムのうちの画質制御アイテムを選択する場合、表示手段の画面にはテレビ１４０の画質制御のための具体的なアイテムが表示されるようになる。
【００８１】
ユーザは、このような過程をホームネットワークシステム内のデバイスごとに繰り返し、ホームネットワークシステム内のデバイスに対する具体的な制御命令を選択でき、選択されたアイテムを画面の右側のコマンドセットにマッチングさせてコマンドセットを完成できるようになる。
【００８２】
一方、完成したコマンドセットの名称は、図５Ｄに示すように、ユーザが識別しやすいように、入力手段を通じてユーザが任意に変更可能である。
【００８３】
コマンドセットが完成し、コマンドセットに対する名称が決定されると、ユーザは図５Ｅのように、コマンドセットに対応する制御命令を確認することができる。図５Ｅに示すように、「ＤＶＤ視聴」に対するコマンドセットは、「１.ＤＶＤ  ｏｎ→２.テレビ  ｏｎ→３.チャネル：外部入力→音量：１４→５.鮮明な画質→６.ガス火  ｏｆｆ」となる。
【００８４】
ユーザは、表示手段を通じて「ＤＶＤ視聴」に対するコマンドセットを確認し、「ＤＶＤ視聴」に対するコマンドセットに対応する制御命令の順番を変更することができる。即ち、ユーザは、「１.ＤＶＤ  ｏｎ」、「２.テレビ  ｏｎ」、「３.チャネル：外部入力」、「音量：１４」、「５.鮮明な画質」、及び「６.ガス火  ｏｆｆ」となっているアイテムの順番が変更されるようにすることにより、その次にコマンドセットがホームサーバ１１０に入力される際、ホームサーバ１１０がデバイスに制御命令を伝送するための順番を決定することができる。
【００８５】
一方、このように生成されたコマンドセットは、再びホームネットワークシステム内の各デバイスに伝達される。具体的に、特定デバイスを操作するユーザからコマンドセット伝送要求を受けた場合、ホームサーバ１１０はユーザが操作している特定デバイスにコマンドセットを伝送する。それにより、ユーザは、特定デバイスを通じてホームネットワークシステム全般を制御できるようになる。
【００８６】
これにより、ユーザは一連の制御命令を一々入力しなくとも、一回の操作のみでユーザの所望の状況又は条件を容易かつ便利に最適化させることができるようになる。
【００８７】
一方、以上で説明したコマンドセットと制御命令との連動過程は、説明の便宜性のために例示的なものに過ぎない。従って、それとは異なるの過程又は方法により、コマンドセットと制御命令との連動させる場合にも、本発明の思想はそのまま適用されてよい。
【００８８】
＜コマンドセットに基づいて制御命令を生成するためのプロセスと構成＞
以下では、上述のように、コマンドセットと制御命令とが連動されて保存され、ユーザから入力されたコマンドセットに基づいて制御命令が各デバイスに伝達される具体的なプロセスについて説明する。
【００８９】
図６は、本発明の一実施形態に係るホームネットワークシステムの制御方法を説明するためのフローチャートである。
【００９０】
以上で説明したように、制御デバイスはコマンドセットと制御命令を対応させて保存する（Ｓ６００）。即ち、制御デバイスは、コマンドセットと制御命令を対応させて保存するホームサーバ、又はホームサーバに代わってホームネットワークシステムの中央制御を担うデバイスになる。
【００９１】
入力デバイスは、入力デバイスを使用するユーザから制御デバイスに保存されているコマンドセットリストに対する伝送を要求するための命令が入力されたか否かを判断する（Ｓ６１０）。即ち、入力デバイスは、ホームネットワークシステム内のデバイスを一括で制御し、ユーザの所望の状況又は条件を満たすための操作に使われるデバイスである。
【００９２】
ユーザからコマンドセットリストに対する伝送要求命令が入力されたと判断されると（Ｓ６１０−Ｙ）、入力デバイスは制御デバイスにコマンドセットリスト伝送要求のための信号を伝送し（Ｓ６２０）、制御デバイスはコマンドセットリスト伝送要求に応じてコマンドセットリストを入力デバイスに伝送する（Ｓ６３０）。
【００９３】
その後、ユーザが入力デバイスを通じてコマンドセットリストのうちいずれか一つのコマンドセットを選択すると（Ｓ６４０）、入力デバイスは選択されたコマンドセットに対する情報を制御デバイスに伝送する（Ｓ６５０）。
【００９４】
制御デバイスは、入力デバイスから受信された情報を用いて、選択されたコマンドセットに対応する制御命令を順次に生成する（Ｓ６６０）。
【００９５】
なお、制御デバイスは、生成されたそれぞれの制御命令が伝達されるべき被制御デバイス（被制御デバイス１〜被制御デバイスＮ）を選定し、各被制御デバイスに生成された制御命令がそれぞれ伝送されるようにする（Ｓ６７０−１〜Ｓ６７０−ｎ）。ここで、被制御デバイスとは、ホームネットワークシステム内のデバイスのことを意味する。
【００９６】
このように、ユーザは入力デバイスを通じてホームネットワークシステム内のデバイスを容易かつ便利に制御できるようになる。
【００９７】
図７は、これまで説明してきた制御デバイスに対するブロック図である。図７においては、本発明の説明に必要な構成のみを概略的に示している。
【００９８】
制御デバイスは、通信部７１０と、入力手段連結部７２０と、制御部７３０と、出力手段連結部７４０及び保存部７５０で構成される。
【００９９】
通信部７１０は、入力デバイス又は被制御デバイスと通信し、コマンドセットを受信し、制御命令を送信するために使われる。
【０１００】
入力手段連結部７２０は、制御デバイスにコマンドセットを生成するためのユーザの操作が入力されるための入力手段が連結されるインターフェースである。
【０１０１】
出力手段連結部７４０は、制御デバイスにコマンドセットを生成するためのユーザの操作内容及びコマンドセット生成内訳などを表示するための表示手段が連結されるインターフェースである。
【０１０２】
保存部７５０は、ユーザの操作によるコマンドセットとコマンドセットに対応する制御命令を保存するための手段として使われる。
【０１０３】
制御部７３０は、制御デバイス全般を制御し、入力デバイスから受信されたコマンドセットに対する情報に基づいて制御命令が生成され、生成された制御命令が各被制御デバイスに順次に伝達されるようにする。
【０１０４】
一方、図８はこれまで説明してきた入力デバイス及び被制御デバイスに対するブロック図である。入力デバイスは被制御デバイスとして使用可能であり、被制御デバイスは入力デバイスとして使用可能であると説明したため、以下では、それを一つの図面で一緒に説明し、被制御デバイスとして説明する。図８では、本発明の説明に必要な構成のみを概略的に示している。
【０１０５】
被制御デバイスは、通信部８１０と、操作部８２０と、制御部８３０と、ディスプレイ８４０及び保存部８５０で構成される。
【０１０６】
通信部８１０は、制御デバイスと通信し、コマンドセットを送信して制御命令を受信するために使われる。
【０１０７】
操作部８２０は、制御デバイスにコマンドセットが生成されるようにし、コマンドセットリストのうちいずれか一つを選択するための用途として使われる。
【０１０８】
ディスプレイ８４０は、コマンドセットリストなどを表示するための表示手段として使われる。
【０１０９】
保存部８５０は、ユーザの操作によるコマンドセットリストを保存し、受信された制御命令による設定値を保存するための目的として使われる。
【０１１０】
制御部８３０は、被制御デバイス全般を制御し、制御デバイスと通信してコマンドセットリストを受信し、受信されたコマンドセットリストの中から選択されたコマンドセットに対する情報を制御デバイスに伝送し、被制御デバイスが制御デバイスから受信された制御命令に応じて動作されるようにする。
【０１１１】
これにより、デバイス間の送受信を通じて別のデバイスを統制／制御し、ユーザの所望の状況及び条件が遠隔で行われるように、一連の制御命令を一々入力することなく、一回の操作のみでユーザの所望の状況又は条件をより容易かつ便利に最適化させることができるようになる。
【０１１２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図１】
2013502819.tif 000003
【図２】
2013502819.tif 000004
【図３】
2013502819.tif 000005
【図４】
2013502819.tif 000006
【図５Ａ】
2013502819.tif 000007
【図５Ｂ】
2013502819.tif 000008
【図５Ｃ】
2013502819.tif 000009
【図５Ｄ】
2013502819.tif 000010
【図５Ｅ】
2013502819.tif 000011
【図６】
2013502819.tif 000012
【図７】
2013502819.tif 000013
【図８】
2013502819.tif 000014
【国際調査報告】
2013502819.tif 000015
2013502819.tif 000016